(57)【要約】      （修正有）【課題】  配線ボックスから取外したボックスカバーを床に置いたり、作業者が片手で所持することなく、配線作業を及び配線作業に伴った作業を作業者が円滑に行なう。【解決手段】  前面に開口６を有する配線ボックス４と、裏面が前記開口の縁を形成する周壁端面の全周にわたって当接して、前記開口の全部又は一部を閉鎖すべく該ボックスに取付けられるボックスカバー５とからなり、前記ボックスには、周壁に嵌合部１３，１４が設けられるとともに、前記ボックスカバーには、前記嵌合部に嵌め合わせ可能な被嵌合部１５，１６が設けられ、前記ボックスカバーの該ボックスに対する取付前又は取付解除後に、前記嵌合部に被嵌合部を嵌め合わせることにより、前記開口に作業用開口Ｓを形成した開状態において前記ボックスカバーを配線ボックスの周壁に仮取付けを可能とする。【選択図】    図１
2006166663.tif 000002
【特許請求の範囲】
【請求項１】
前面に開口を有する配線ボックスと、裏面が前記開口の縁を形成する周壁端面の全周にわたって当接して、前記開口の全部又は一部を閉鎖すべく該ボックスに取付けられるボックスカバーとからなり、
前記ボックスには、周壁に嵌合部が設けられるとともに、前記ボックスカバーには、前記嵌合部に嵌め合わせ可能な被嵌合部が設けられ、
前記ボックスカバーの該ボックスに対する取付前又は取付解除後に、前記嵌合部に被嵌合部を嵌め合わせることにより、前記開口に作業用開口を形成した開状態として前記ボックスカバーを配線ボックスの周壁に仮取付け可能とすることを特徴とする配線ボックス装置。
【請求項２】
嵌合部は、配線ボックスの開口を水平方向に向けた状態で該開口の縁を形成する周壁の上部外側に突設され、被嵌合部は、ボックスカバーの下部に設けられたことを特徴とする請求項１に記載の配線ボックス装置。
【請求項３】
嵌合部は、配線ボックスの開口を水平方向に向けた状態で該開口の縁を形成する周壁の下部内面に形成され、被嵌合部はボックスカバーの上端に凸状に設けられたことを特徴とする請求項１に記載の配線ボックス装置。
【請求項４】
被嵌合部は、一端が差込口になり、他端がストッパ面になったスライド溝を備え、
嵌合部は差込口から差込まれ、ストッパ面に突き当たった状態でスライド溝に嵌り込む構造であることを特徴とする請求項１又は請求項２に記載の配線ボックス装置。
【請求項５】
前面に開口を有する配線ボックスと、裏面が該開口の縁を形成する周壁端面の全周にわたって当接して、該開口の全部又は一部を閉鎖すべく該ボックスに取付けられるボックスカバーとからなり、
前記ボックスカバーはその裏面が前記ボックスカバーの前記周壁端面に当接した状態でスライド可能に設けられ、前記配線ボックスには第一，第二嵌合部が設けられ、前記ボックスカバーには、前記第一，第二嵌合部が着脱可能に嵌り込む第一，第二被嵌合部を設け、
前記開口を閉じる方向へ向けて前記ボックスカバーをスライドして前記第一，第二嵌合部が前記第一，第二被係合部にそれぞれ嵌合し、前記開口を開く方向へ向けて前記ボックスカバーがスライドして前記第一，第二嵌合部と前記第一，第二被嵌合部との嵌り込みがそれぞれ解除することにより、前記ボックスカバーを前記配線ボックスに対して着脱自在とした配線ボックス装置であって、
前記ボックスカバーの配線ボックスに対する取付前又は取付解除後に、前記第一被嵌合部を前記第二嵌合部に嵌り込み、又は、前記第二被嵌合部を前記第一嵌合部に嵌り込むことにより、前記開口に作業用開口を形成した開状態としてボックスカバーを配線ボックスに仮取付け可能とすることを特徴とする配線ボックス装置。
【請求項６】
被嵌合部は、一端が差込口になり、他端がストッパ面になったスライド溝を備え、
嵌合部は差込口から差込まれ、ストッパ面に突き当たった状態でスライド溝に嵌り込む構造であることを特徴とする請求項５に記載の配線ボックス装置。
【発明の詳細な説明】
【技術分野】
【０００１】
本発明は、壁裏や二重天井内に設置されて、コンセント等の各種配線器具と配線との接続や、配線と配線との接続部を収容する配線ボックス装置に関するものである。
【０００２】
図１５に示す配線ボックス装置１００は、支骨鉄筋１０１等にバー材１０２によって取り付けられた状態でコンクリートに埋設されて、コンセント等の配線器具と配線とを接続するための開口１０３を有する装置である。
【０００３】
特許文献１に記載の配線ボックス装置１００は、配線ボックス１０４とボックスカバー１０５とから開閉可能な箱状に形成されている。この配線ボックス装置１００は、配線ボックス１０４に対してボックスカバー１０５をワンタッチで取付できる特徴を有するものである。
【特許文献１】特開２００３−１６９４１３号公報
【０００４】
この配線ボック装置１００は、開口１０３を有する有底の配線ボックス１０４と該開口１０３を閉鎖するように該配線ボックス１０４に取付けられるボックスカバー１０５とから構成されている。
【０００５】
前記配線ボックス１０４の開口１０３の周囲には、係合突起１０６が設けられている。又、前記ボックスカバー１０５の裏面の周囲には、ほぼ全周に亘ってリブ１０７が形成されている。図１６に示すように、該リブ１０７の内面には、前記配線ボックス１０４に設けられた係合突起１０６が係合する係合溝１０７aが形成されている。
【０００６】
そして、ボックスカバー１０５を配線ボックス１０４に取付けるには、該ボックスカバー１０５を配線ボックス１０４の開口１０３に対面させ、且つ、配線ボックス１０４の係合突起１０６をボックスカバー１０５の係合溝１０７aに一致させた状態で該ボックスカバー１０５を配線ボックス１０４に対して手Ｈで押し込むだけで、ボックスカバー２０５を配線ボックス１０４にワンタッチで取付けることができる。
【０００７】
次ぎに、前述のように構成された配線ボックス装置１００をコンクリート内に埋設する場合について説明する。先ず、図１５に示すように、配線ボックス１０４を支骨鉄筋１０１にバー材１０２によって取り付ける。その後、配線ボックス１０４のノックアウト部１０８を打抜き、図１６に示すように、その打抜孔にコネクタ１０９の雄ネジ部（図示せず）を挿入して、該雄ネジ部に配線ボックス１０５の内側からロックナット１１０を螺着する。これにより、該コネクタ１０９とロックナット１１０とによって配線ボックス１０４の側壁を挟持するようにして該コネクタ１０９を配線ボックス１０４に固定する。
【０００８】
次ぎに、電線管１１２を前記コネクタ１０９に挿通する。その後、該配線ボックス１０４の開口１０３を閉鎖するようにボックスカバー１０５を取り付ける。その後、図１６に示すように、配線ボックス装置１００を挟むように一対の型枠Ｋ，Ｋを立設し、この型枠Ｋ，Ｋの間にコンクリートを打設して、配線ボックス装置１００が埋設するものである。そして、ボックスカバー１０５の配線器具取付用孔１１３（図１５に示す）からコンセント等の各種の配線器具を配線ボックス１０４内に配設する一方、前記電線管１１２（図１６に示す）内を挿通して配線されたケーブル（図示せず）を配線器具に接続するものである。
【０００９】
ところで、実際の作業において、配線ボックス１０４にボックスカバー１０５を取付けた後になって、配線ボックス１０４へのコネクタ１０９、及びロックナット１１０の取付けの忘れに気が付いたり、追加のケーブルを配線ボックス１０４内へ引き込むべく、追加の電線管１１２，追加のコネクタ１０９及びロックナット１１０の取付けの必要が発生する場合がある。
【００１０】
このような場合には、配線ボックス１０４からボックスカバー１０５を取外した後、更に別のノックアウト部１０８を打抜いて、打抜孔を開口する。その後、該打抜孔にコネクタ１０９の雄ネジ部を挿入して、該雄ネジ部に配線ボックス１０４の内側からロックナット１１０を螺着する。これにより、該コネクタ１０９とロックナット１１０とによって配線ボックス１０４の側壁を挟持するようにして該コネクタ１０９を配線ボックス１０４に固定する。
【発明の開示】
【発明が解決しようとする課題】
【００１１】
しかし、このような従来技術による配線ボックス装置１００において前述のように、追加の電線管１１２、追加のコネクタ１０９や追加のロックナット１１０を取付ける必要が生じた場合には、配線ボックス１０４からボックスカバー１０５を外し、該配線ボックス１０４の開口１０３を開けたままの状態に維持するために、配線ボックス１０４から取外したボックスカバー１０５を床に置いたり、作業者が片手で所持し続けなければならず、そのための作業が煩雑であるという問題があった。
【００１２】
本発明は、前述の問題点に鑑みてなされたもので、その目的は、配線ボックスから取外したボックスカバーを配線ボックス自体に仮取付けできるようにすることにより、配線ボックスから取外したボックスカバーを床に置いたり、作業者が片手で所持することなく、配線作業及び配線作業に伴った作業を作業者が円滑に行なうことができるようにした配線ボックス装置を提供することにある。
【課題を解決するための手段】
【００１３】
請求項１に記載の発明は、前面に開口を有する配線ボックスと、裏面が前記開口の縁を形成する周壁端面の全周にわたって当接して、前記開口の全部又は一部を閉鎖すべく該ボックスに取付けられるボックスカバーとからなり、
前記ボックスには、周壁に嵌合部が設けられるとともに、前記ボックスカバーには、前記嵌合部に嵌め合わせ可能な被嵌合部が設けられ、
前記ボックスカバーの該ボックスに対する取付前又は取付解除後に、前記嵌合部に被嵌合部を嵌め合わせることにより、前記開口に作業用開口を形成した開状態として前記ボックスカバーを配線ボックスの周壁に仮取付け可能とすることを特徴とするものである。
【００１４】
請求項２に記載の発明は、請求項１に記載の配線ボックス装置において、嵌合部は、配線ボックスの開口を水平方向に向けた状態で該開口の縁を形成する周壁の上部外側に突設され、被嵌合部は、ボックスカバーの下部に設けられたことを特徴とするものである。
【００１５】
請求項３に記載の発明は、請求項１に記載の配線ボックス装置において、嵌合部は、配線ボックスの開口を水平方向に向けた状態で該開口の縁を形成する周壁の下部内面に形成され、被嵌合部はボックスカバーの上端に凸状に設けられたことを特徴とするものである。
【００１６】
請求項４に記載の発明は、請求項１又は請求項２に記載の発明において、被嵌合部は、一端が差込口になり、他端がストッパ面になったスライド溝を備え、
嵌合部は差込口から差込まれ、ストッパ面に突き当たった状態でスライド溝に嵌り込む構造であることを特徴とするものである。
【００１７】
請求項５に記載の発明は、前面に開口を有する配線ボックスと、裏面が前記開口の縁を形成する周壁端面の全周にわたって当接して、前記開口の全部又は一部を閉鎖すべく該ボックスに取付けられるボックスカバーとからなり、
前記ボックスカバーはその裏面が前記ボックスカバーの前記周壁端面に当接した状態でスライド可能に設けられ、前記配線ボックスには第一，第二嵌合部が設けられ、前記ボックスカバーには、前記第一，第二嵌合部が着脱可能に嵌り込む第一，第二被嵌合部を設け、
前記開口を閉じる方向へ向けて前記ボックスカバーをスライドして前記第一，第二嵌合部が前記第一，第二被係合部にそれぞれ嵌合し、前記開口を開く方向へ向けて前記ボックスカバーがスライドして前記第一，第二嵌合部と前記第一，第二被嵌合部との嵌り込みがそれぞれ解除することにより、前記ボックスカバーを前記配線ボックスに対して着脱自在とした配線ボックス装置であって、
前記ボックスカバーの配線ボックスに対する取付前又は取付解除後に、前記第一被嵌合部を前記第二嵌合部に嵌り込み、又は、前記第二被嵌合部を前記第一嵌合部に嵌り込むことにより、前記開口に作業用開口を形成した開状態としてボックスカバーを配線ボックスに仮取付け可能とすることを特徴とするものである。
【００１８】
請求項６に記載の発明は、請求項５に記載の発明において、被嵌合部は、一端が差込口になり、他端がストッパ面になったスライド溝を備え、
嵌合部は差込口から差込まれ、ストッパ面に突き当たった状態でスライド溝に嵌り込む構造であることを特徴とするものである。
【発明の効果】
【００１９】
請求項１に記載の発明によれば、配線ボックスの開口に作業用開口を形成した開状態においてボックスカバーを配線ボックスに仮取付けできるため、作業者はボックスカバーを片手で所持したり、床に置いたりすることなく、該作業用開口を形成したままの状態で配線作業や該配線作業に付随した各種の作業を円滑に行なうことができる。
【００２０】
請求項２に記載の発明によれば、配線ボックスの開口の上部に作業用開口を形成したままの状態で、作業者はボックスカバーを片手で所持したり、床に置いたりすることなく、配線作業や該配線作業に付随した各種の作業を円滑に行なうことができる。
【００２１】
請求項３に記載の発明によれば、配線ボックスの開口の下部に作業用開口を形成したままの状態で、作業者はボックスカバーを片手で所持したり、床に置いたりすることなく、配線作業や該配線作業に付随した各種の作業を円滑に行なうことができる。
【００２２】
請求項４に記載の発明によれば、請求項１又は請求項２に記載の発明において、スライド溝に嵌合部を嵌合させることにより、嵌合部と被嵌合部とは確固として嵌合することができる。
【００２３】
請求項５に記載の発明によれば、第一嵌合部を第二被嵌合部に嵌合させ、又は、第二嵌合部を第一被嵌合部に嵌合させることにより、配線ボックスの開口の任意の部位に作業用開口を形成することができる。
【００２４】
請求項６に記載の発明によれば、請求項５に記載の発明において、嵌合部をスライド溝に嵌合させることにより、嵌合部と被嵌合部とは確固として嵌合することができる。
【発明を実施するための最良の形態】
【００２５】
図１乃至図８は第一実施形態を示す。図１は配線ボックス装置１を配線ボックスとボックスカバーとに分解した状態の分解斜視図、図２はボクスカバーの裏面図、図３は図２を矢示α方向から観た状態の図である。図４は図２を矢示β方向から観た状態の図、図５は配線ボックスにボックスカバーを当接した状態を示す図である。図６は配線ボックスの開口にボックスカバーを当接して状態の側断面図である。図７は配線ボックスにボックスカバーを仮支持した状態を示す図である。図８は配線ボックス装置を挟むように型枠を立設した状態の側断面図である。
【００２６】
図１に示すように、この配線ボックス装置１は、支骨鉄筋２等にバー材３によって取付けられた状態でコンクリートに埋設されて、コンセント等の配線器具と配線とを接続する際に用いられる装置である。
【００２７】
配線ボックス装置１は、配線ボックス４とボックスカバー５とを備えている。配線ボックス４は、箱状に形成されている。配線ボックス４とボックスカバー５とは、別体に設けられている。配線ボックス４の内部はコンセントのような配線器具と配線とを接続し、又は、配線同士を接続するための空間になっている。配線ボックス４及びボックスカバー５は合成樹脂で形成されることができる。
【００２８】
配線ボックス４は図１に示すように、前面に開口６を有する直方体状に形成することができる。該開口６の縁は、上下に対向する一対の上壁７と下壁８と、左右に対向する一対の側壁９，１０とからなる周壁によって構成され、該開口６と対面して底壁１１を備えている。
【００２９】
前記ボックスカバー５は、配線ボックス４の開口６に対応した形状である。ボックスカバー５は、該開口６の縁を形成する周壁の端面にわたって当接して、該開口６の全部又は一部を閉塞すべく配線ボックス４に取着されるものである。ボックスカバー５の中央には、コンセント等の配線器具を取付けるための配線器具取付孔１２が形成されている。
【００３０】
前記配線ボックス４の上壁７、下壁８、及び側壁９，１０には、互いに離間した位置に第一，第二嵌合部１３，１４が形成されている。第一，第二嵌合部１３，１４は、配線ボックス４の開口６の縁から外方へ突設する凸状に形成されることができる。
【００３１】
前記ボックスカバー５の裏面５ａには、第一，第二被嵌合部１５，１６が突設されている。該第一，第二被嵌合部１５，１６は前記第一，第二嵌合部１３，１４に嵌め合わせ可能な形状に形成されている。第一，第二被嵌合部１５，１６は、前記第一，第二嵌合部１３，１４に嵌め合わされた状態において、配線ボックス４の開口６を完全に閉塞する位置に設けられている。
【００３２】
前記第一，第二被嵌合部１５，１６は、ボックスカバー５の裏面５aから図３，図４に示すように、断面がＬ字状に突設して形成されて、第一，第二被嵌合部１５，１６とボックスカバー５の裏面５ａとの間は、スライド溝１７になっている。該スライド溝１７は、一端が差込口１８になり、他端がストッパ面１９になっている。該スライド溝１７は、前記第一，第二嵌合部１３，１４が差込口１８から差込まれてスライド溝１７を挿通してストッパ面１９に当たって、第一，第二嵌合部１３，１４のスライドが制限される形状になっている。
【００３３】
ここで、図３に示すように、前記第一被嵌合部１５からはボックスカバー５のコーナーに沿って曲折する曲折部２０と該曲折部２０に連設してスライドストッパ部２１とが設けられている。曲折部２０とスライドストッパ部２１は、ボックスカバー５の裏面５ａから突設し、前述のように、配線ボックス４の開口６が完全に閉塞した状態において、配線ボックス４のコーナー部４ａ（図５に示す）及び上壁７に当接する形状に形成されている。
【００３４】
図５に示すように、ボックスカバー５の裏面５aを配線ボックス４の開口６に当接した状態において、第一嵌合部１３が第一被嵌合部１５の差込口１８に宛がわれ、第二嵌合部１４が第二被嵌合部１６の差込口１８に宛がわれる位置に、これら第一，第二嵌合部１３，１４、第一，二被嵌合部１５，１６が形成されている。図５は配線ボックス４の裏面側からボックスカバー５を観た状態の図である。
【００３５】
図１に戻って、前記配線ボックス４の底壁１１には、配線ボックス４を前記支骨鉄筋２に取り付けるためのバー材３が挿通するバー材挿通部Ｂが形成されている。又、配線ボックス４の上壁７，下壁８，及び側壁９，１０にはノックアウト部２２が設けられている。このノックアウト部２２は必要に応じて打ちぬくことにより、打抜孔２３が開口するものである。この打抜孔２３には、コネクタ２４（図６に示す）が接続されるものである。該コネクタ２４には、前記配線ボックス４内に収容されている配線器具に接続するための配線を挿通する電線管３１（図６に示す）が取り付けられるものである。
【００３６】
図１に示すように、前記配線ボックス４の上壁７，下壁８の内面には、ボス部２５が設けられて、ネジ孔２６が形成されている。又、ボックスカバー５には、該ボックスカバー５が配線ボックス４の開口６を完全に閉塞した状態で、配線ボックス４の前記ネジ孔２６に連通するネジ挿通孔２７が形成されることにより、ボックスカバー５は配線ボックス４にネジ２８によってネジ止めされるようになっている。
【００３７】
次ぎに、配線ボックス装置１をコンクリートに埋設する場合について説明する。尚、図１に示すように、既に、支骨鉄筋２が設けられているとする。この状態において、配線ボックス４のバー材挿通部Ｂにバー材３を挿通し、該バー材３の両端を支骨鉄筋２に結束することにより、該配線ボックス４を支骨鉄筋２に固定する。このように、以下の説明では、配線ボックス４の開口６が水平方向を向いた状態で配線ボックス４が支骨鉄筋２に取付けられる場合について説明する。即ち、以下の説明では、配線ボックス４は上壁７、下壁８が上下方向になるように支骨鉄筋２に固定される。
【００３８】
次ぎに、配線ボックス４の上壁７，下壁８、及び側壁９，１０に設けられたノックアウト部２２を必要に応じて打抜き、打抜孔２３を開口した後、図６に示すように、該打抜孔２３にコネクタ２４の雄ネジ部（図示せず）を挿入して、該雄ネジ部に配線ボックス４の内側からロックナット３０を螺着する。これにより、該コネクタ２４とロックナット３０とによって配線ボックス４を挟持するように固定する。次ぎに、図６に示すように、電線管３１を前記コネクタ２４内に挿入する。
【００３９】
次ぎに、ボックスカバー５によって配線ボックス４の開口６を閉鎖するのであるが、この場合、図５に示すように、ボックスカバー５の裏面５ａを配線ボックス４の開口６に当接させる。図５は、配線ボックス４の裏面側からボックスカバー５を観た状態の図である。この状態においては、図５に示すように、第一嵌合部１３が第一被嵌合部１５の差込口１８近傍に宛がわれ、第二嵌合部１４が第二被嵌合部１４の差込口１８近傍に宛がわれる。
【００４０】
その後、図５に示す状態において、ボックスカバー５を図５中、下方向へ押し下げると、第一嵌合部１３が第一被嵌合部１５の差込口１８から侵入してスライド溝１７を挿通し、ストッパ面１９に当たって停止する。又、第二嵌合部１４が第二被嵌合部１６の差込口１８から侵入してスライド溝１７を挿通し、ストッパ面１９に当たって停止する。更に、ボックスカバー５のスライドストッパ部２１が配線ボックス４の上壁７に当接する。この状態において、ボックスカバー５が配線ボックス４から離脱しない。
【００４１】
ところで、仮に、更に多くのノックアウト部２２を打抜いて、打抜孔２３を形成する必要が生じたとする。この場合には、ボックスカバー５を配線ボックス４に対して上方へスライドさせることにより、図５に示すように、第一，第二嵌合部１３，１４と第一，第二被嵌合部１５，１６との嵌合を解除して、即ち、ボックスカバー５の配線ボックス４に対する取付を一旦、解除してボックスカバー５を配線ボックス４から取外す。
【００４２】
その後、図７に示すように、ボックスカバー５を配線ボックス４に対して上方へズラせて、ボックスカバー５の第二被嵌合部１６を配線ボックス４の第一嵌合部１３に嵌合させることにより、ボックスカバー５を配線ボックス４に対して仮取付けする。
【００４３】
ここで、仮取付とは、配線ボックス４の開口６に作業用開口Ｓを形成するようにボックスカバー５を配線ボックス４に取付けた状態をいう。該作業用開口Ｓは、作業者が配線ボックス４内へ手を差込んで配線作業や該配線作業に付随した各種の作業を行なうことができる広さの開口である。
【００４４】
その後、作業者はノックアウト部２２を新たに打抜いて新たな打抜孔２３を開口し、図６に示すように、該打抜孔２３にコネクタ２４の雄ネジ部（図示せず）を挿入して、該雄ネジ部に配線ボックス４の内側からロックナット３０を螺着する。これにより、該コネクタ２４とロックナット３０とによって配線ボックス４の上壁７，下壁８，又は側壁９，１０を挟持するようにして該コネクタ２４を配線ボックス４に固定する。次ぎに、図６に示すように、電線管３１を前記コネクタ２４内に挿入する。
【００４５】
そして、前述の図５に示すように、配線ボックス５の第一嵌合部１３をボックスカバー５の第一被嵌合部１５近傍に宛がい、配線ボックス５の第二嵌合部１４をボックスカバー５の第二被嵌合部１６近傍に宛がった状態から、ボックスカバー５を下方向へスライドさせて第一，第二被嵌合部１３，１４を第一、第二被嵌合部１５，１６にそれぞれ嵌合させる。
【００４６】
その後、図１に示すように、ネジ２８をボックスカバー５のネジ挿通孔２７を挿通させて配線ボックス４のネジ孔２６に螺合させることにより、ボックスカバー５を配線ボックス４に固定する。これによって配線ボックス装置１が組立てられる。
【００４７】
次ぎに、図８に示すように、配線ボックス装置１を挟むようにして一対の型枠Ｋ，Ｋを立設し、この型枠Ｋ，Ｋの間にコンクリートを打設して、配線ボックス装置１がコンクリート内に埋設されるものである。そして、ボックスカバー５の配線器具取付用孔１２（図１に示す）からコンセント等の各種の配線器具を配線ボックス４内に配設する一方、前記電線管３１（図６，図８に示す）内を挿通して配線されたケーブル（図示せず）を配線器具に接続するものである。
【００４８】
以上説明した第一実施形態においては、図７に示すように、配線ボックス４の第一嵌合部１３にボックスカバー５の第二被嵌合部１６を嵌合させることにより、配線ボックス４の開口６の下部に作業用開口Ｓを形成した状態で、作業者はボックスカバー４を床に置いたり、片手で所持することなく、配線ボックス４内に作業用開口Ｓから手を差し込んで、各種の作業を効率良く行うことができる。
【００４９】
尚、以上説明した実施形態においては、ボックスカバー５を配線ボックス４に一旦取付け、その後に取外すという取付解除後に、ボックスカバー５を配線ボックス４に仮取付けする場合について説明したが、ボックスカバー５を配線ボックス４に取付けする取付前の状態において、ボックスカバー５を配線ボックス４に仮取付けするようにしても良い。
【００５０】
図９は第二実施形態を示す。この第二実施形態の特徴は、第一実施形態と比較して、ボックスカバー４の第一被嵌合部１５に曲折部２０及びスライドストッパ部２１を形成しないことによって、図９に示す第一被嵌合部１５と、図１０に示す第二被嵌合部１６の形状を互いに同一にした点にある。
【００５１】
次ぎに、第二実施形態の作用について説明する。ボックスカバー５の第一被嵌合部１５を前述のように形成することにより、図１１に示すように、ボックスカバー５の第一被嵌合部１５を配線ボックス４の第二嵌合部１４に嵌合させることにより、配線ボックス４の開口６の上部を開放することができる。
【００５２】
一方、図７に示すように、ボックスカバー５の第二被嵌合部１６を配線ボックス４の第一嵌合部１３に嵌合させることにより、配線ボックス４の開口６の下部を開放することができることは勿論である。
【００５３】
このように、第二実施形態においては、図１１，図７に示すように、配線ボックス４の開口６の上部、又は下部を作業内容に応じて自在に選択して開けることができるため、作業者は効率良く作業を行うことができる。
【００５４】
図１２，図１３は第三実施形態を示す。この第三実施形態の特徴は、配線ボックス４に対してスライド可能に設けられたボックスカバー５を有する配線ボックス装置１に本発明を適用したものである。
【００５５】
配線ボックス４は直方体によって形成され、該配線ボックス４の開口６は正方形に開口している。ボックスカバー５のスライド方向に対して直交する方向に互いに対面する一対の側壁９，１０には外側へ突出して係合部５１，５２が形成されている。係合部５１，５２は、前記ボックスカバーのスライド方向へ沿って互いに離間した位置に設けられている。又、各係合部５１，５２はボックスカバー５のスライド方向に対して直交する方向において互いに向かい合うように一対設けられている。以下の説明では、ボックスカバー５は上下方向へスライドする場合について説明する。
【００５６】
又、ボックスカバー５は前記配線ボックス４の開口６を閉塞可能に正方形に形成されている。ボックスカバー５の裏面の縁部には嵌合部５３，５４が形成されている。該嵌合部５３，５４はボックスカバー５のスライド方向に沿って互いに離間した位置に設けられている。又、各嵌合部５３，５４はボックスカバー５のスライド方向に対して直交する方向において互いに向かい合うように一対設けられている。該嵌合部５３，５４はボックスカバー５の裏面から突出し、且つボックスカバー５の中心方向へ向けて内側へ曲折することによりＬ字状に形成されている。該嵌合部５３，５４とボックスカバー５の裏面との間は、前記係合部５１，５２がスライド可能に係合するスライド溝になっている。又、ボックスカバー５の裏面の上端には、該裏面から突出する引掛部５５が形成されている。
【００５７】
そして、図１２に示すように、ボックスカバー５の裏面を配線ボックス４の開口６の周縁に接近させ、図１２中、二点鎖線で示すように、ボックスカバー５の第一，第二被嵌合部５３，５４を配線ボックス４の第一，第二係合部５１，５２の近傍にそれぞれ宛がう。その後、ボックスカバー５を下方へ押し下げると、ボックスカバー５の第一，第二被嵌合部５３，５４を配線ボックス４の第一，第二係合部５１，５２にそれぞれ係合した状態で下方へスライドする。そして、ボックスカバー５の上端の引掛部５５が配線ボックス４の上壁７に突き当たることにより、ボックスカバー５の下方へのスライドが規制される。この状態において、配線ボックス４の開口６は完全に閉鎖している。
【００５８】
一方、ボックスカバー５を上方へスライドさせると、ボックスカバー５の第一，第二被嵌合部５３，５４と配線ボックス４の第一，第二係合部５１，５２との係合が解除して、ボックスカバー５を配線ボックス４から取外すことができる。
【００５９】
このように、ボックスカバー５が配線ボックス４に対してスライド可能に設けられている配線ボックス装置１において、配線ボックス４の下壁８の内面に二つの凹状の嵌合部５６が形成されている。二つの嵌合部５６同士の離間距離は、前記被嵌合部５３，５４同士の離間距離と同じである。このため、ボックスカバー５を図１２中、矢示Ａ方向へ９０度回転させてボックスカバー５の被嵌合部５３，５４を配線ボックス４の嵌合部５６，５６に嵌合させることにより、図１３に示すように、配線ボックス４に対してボックスカバー５を吊下げるようにして、取付けることができる。
【００６０】
この状態においては、配線ボックス４の開口６に作業用開口Ｓを形成した開状態のままボックスカバー５が配線ボックス４に取付けられることになる。このため、作業者はボックスカバー５を床に置いたり、片手で所持しながら、配線ボックス４の内部へ手を差込んで、作業を行うことがない。このため、作業者は両手を使って効率よく作業を行うことができる。
【００６１】
図１４は、配線ボックス装置１を二重天井内に設けた第四実施形態を示す。この第四実施形態においては、上階のフロアの床（図示せず）の下面と鉄骨Ｔとの間に設けられた吊ボルトＶに配線ボックス４の裏面を取付けた状態で該配線ボックス装置１は二重天井内に設けられたものである。この第四実施形態は、いわゆる、ブランクタイプの配線ボックス装置１を示すものである。即ち、この第三実施形態は、第一実施形態に示す配線ボックス装置１をブランクタイプのものに適用した場合を示す。
【００６２】
この第四実施形態に示す配線ボックス装置１においては、ボックスカバー５を配線ボックス４から取外し、配線ボックス４の開口６を開状態にしたまま、該配線ボックス４内の配線状態を修理、点検することが行われるが、その際には、図７に示すように、ボックスカバー５の第二被嵌合部１６を配線ボックス４の第一嵌合部１３に嵌合させることにより、配線ボックス４の開口６を開状態に維持することができる。このため、従来技術のように、配線ボックス４内の点検，修理の際に、ボックスカバー５を配線ボックス４から取外して、床に置いたり、作業者が片手で持ち続けたりする必要がない。このため、作業者は配線ボックス装置１の点検，修理の際に、脚立を上り下りして、ボックスカバーを床に置く作業が不要となって、配線ボックスの点検や修理を容易に行うことができる。
【００６３】
又、前述のブランクタイプの配線ボックス装置１のボックスカバー５に設けられる第一被嵌合部１５を図９に示す形状に形成することにより、配線ボックス４の開口６の上部又は下部を作業内容に応じて自在に選択して、作業用開口Ｓを開状態にすることができるため、配線ボックス４内の配線状態の点検や修理を容易に行うことができる。尚、この第四実施形態は、配線ボックス装置１を工場内等において、壁表に露出させて設置することにより、配線状態の点検や修理を行なうような場合にも適用できるものである。
【００６４】
尚、以上の説明では、複数の嵌合部と複数の被嵌合部を設けた場合について説明したが、一つの嵌合と１つの被嵌合部を設けるだけで、本発明の目的を達成することができることは勿論である。又、以上の説明では、配線ボックス４の開口６を水平方向へ向けた姿勢で該配線ボックス４を設置した場合について説明したが、該開口６を下方向や上方向へ向けた姿勢で、配線ボックス４を設置する場合にも適用できることは勿論である。
【図面の簡単な説明】
【００６５】
【図１】配線ボックス装置を配線ボックスとボックスカバーとに分解した状態の分解斜視図である。（第一実施形態）
【図２】ボックスカバーの裏面図である。（第一実施形態）
【図３】図２を矢示α方向から観た状態の図である。（第一実施形態）
【図４】図２を矢示β方向から観た状態の図である。（第一実施形態）
【図５】配線ボックスの開口にボックスカバーを当接させた状態を配線ボックスの裏側から観た状態の図である。（第一実施形態）
【図６】配線ボックスの開口にボックスカバーを宛がった状態の側断面図である。（第一実施形態）
【図７】ボックスカバーの第二被嵌合部を配線ボックスの第一嵌合部に嵌合させる途中の状態の図である。（第一実施形態）
【図８】配線ボックスを挟むように一対の型枠を立設した状態の側断面図である。（第一実施形態）
【図９】図３と同様の図である。（第二実施形態）
【図１０】図４と同様の図である。（第二実施形態）
【図１１】ボックスカバーの第一被嵌合部をボックスカバーの第二嵌合部に嵌合させた状態の図である。（第二実施形態）
【図１２】配線ボックス装置を配線ボックスとボックスカバーとに分解した状態の分解斜視図である。（第三実施形態）
【図１３】配線ボックスに対してボックスカバーを仮支持した状態の図である。（第三実施形態）
【図１４】本発明をブランクタイプの配線ボックス装置に適用した状態を示すブランクタイプの配線ボックス装置の分解斜視図である。（第四実施形態）
【図１５】配線ボックス装置の分解斜視図である。（従来技術）
【図１６】配線ボックス装置を挟むように一対の型枠を立設した状態の側断面図である。（従来技術）
【符号の説明】
【００６６】
１  配線ボックス装置
４  配線ボックス
５  ボックスカバー
６  開口
１３  第一嵌合部
１４  第二嵌合部
１５  第一被嵌合部
１６  第二被嵌合部
１７  スライド溝
１８  差込口
１９  ストッパ面
【図１】
2006166663.tif 000003
【図２】
2006166663.tif 000004
【図３】
2006166663.tif 000005
【図４】
2006166663.tif 000006
【図５】
2006166663.tif 000007
【図６】
2006166663.tif 000008
【図７】
2006166663.tif 000009
【図８】
2006166663.tif 000010
【図９】
2006166663.tif 000011
【図１０】
2006166663.tif 000012
【図１１】
2006166663.tif 000013
【図１２】
2006166663.tif 000014
【図１３】
2006166663.tif 000015
【図１４】
2006166663.tif 000016
【図１５】
2006166663.tif 000017
【図１６】
2006166663.tif 000018